【手続補正書】
【提出日】令和3年9月7日(2021.9.7)
【手続補正１】
【補正対象書類名】明細書
【補正対象項目名】００１０
【補正方法】変更
【補正の内容】
【００１０】
≪態様１≫
容器本体に螺合されるキャップであって、
前記キャップは、キャップ本体と、前記キャップ本体に外装される外装体と、を備え、
前記外装体は、内周面に設けられた第１の突起部を有し、
前記キャップ本体は、天面板上に設けられた第２の突起部を有し、
前記第２の突起部は、
前記キャップ本体の周方向に、前記天面板から前記第２の突起部の天頂部に向かって延びる傾斜面と、
前記第２の突起部の天頂部から前記天面板に向かって延び、前記天面板との間に、前記第１の突起部が前記天面板に対し水平方向に移動可能な移動空間を形成する垂直壁部と、
前記垂直壁部の前記キャップが緩められる側に設けられた第１係止面と、
前記第１係止面に対して前記キャップが締められる側に設けられ、前記第１係止面と対向して配置され、前記第１係止面との間に係合空間を形成する第２係止面と、
を備え、
前記係合空間は前記移動空間と連通しており前記第１の突起部の少なくとも一部を収納可能であるとともに、上下動させることが可能であり、
前記外装体を、キャップを締め込む方向に回転させた場合、前記外装体の前記第１の突起部の一部が、前記第２係止面に当接することで、前記キャップ本体が前記外装体とともに回転し、
前記外装体を、引き上げてキャップを緩める方向に回転させた場合、前記外装体の前記第１の突起部の一部が前記第１係止面に当接することで、前記キャップ本体が前記外装体とともに回転する、
ことを特徴とするキャップ。
【手続補正２】
【補正対象書類名】明細書
【補正対象項目名】００１１
【補正方法】変更
【補正の内容】
【００１１】
≪態様２≫
前記外装体の内周面に設けられた第３の突起部と、
前記キャップ本体の外周面に周方向に設けられた窪み部と、更に備え、
前記窪み部は、前記第３の突起部の少なくとも一部を収納可能な大きさに形成されてお
り、
前記第３の突起部と前記窪み部とが係合する、
ことを特徴とする態様１に記載のキャップ。
【手続補正３】
【補正対象書類名】明細書
【補正対象項目名】００１３
【補正方法】変更
【補正の内容】
【００１３】
≪態様４≫
前記キャップ本体の前記外周面に、前記天面板から前記窪み部に至る導入溝を更に備え、
前記導入溝は、前記第３の突起部を前記天面板から前記窪み部まで移動可能な幅に形成される、
ことを特徴とする態様２又は３に記載のキャップ。
【手続補正４】
【補正対象書類名】明細書
【補正対象項目名】００１４
【補正方法】変更
【補正の内容】
【００１４】
≪態様５≫
前記導入溝の前記窪み部側の端には、一対の弁状突起が設けられており、
前記弁状突起の離間する距離は、前記第３の突起部の幅より狭い、
ことを特徴とする態様４に記載のキャップ。
【手続補正５】
【補正対象書類名】明細書
【補正対象項目名】００１７
【補正方法】変更
【補正の内容】
【００１７】
【図１】本実施形態に係るキャップ本体と外装体とが螺合した容器を示す斜視図である。
【図２】図２（ａ）は本実施形態に係る容器の上面図であり、図２（ｂ）は図２（ａ）に示すＩＩＢ−ＩＩＢ線断面図である。
【図３】図３は図２（ａ）に示すＩＩＢ−ＩＩＢ線断面図に相当し、キャップ本体と外装体とを示す断面図である。
【図４】図４（ａ）は外装体の上面図である。図４（ｂ）は図４（ａ）に示すＩＶＢ−ＩＶＢ線断面図である。図４（ｃ）は図４（ａ）の下方向から視た正面図である。図４（ｄ）は図４（ａ）に示すＩＶＤ−ＩＶＤ線断面図である。
【図５】図５（ａ）は第２の突起部の左側面図であり、図５（ｂ）は第２の突起部の正面図であり、図５（ｃ）は第２の突起部の右側面図である。図５（ｄ）はキャップ本体の正面図であり、図５（ｅ）はキャップ本体の上面図である。なお、図５（ｄ）は図５（ｅ）の下方向からみた正面図である。
【図６】図６は図２（ａ）に示すＩＩＢ−ＩＩＢ線断面図に相当し、外装体を引き上げて第１の突起部が第２の突起部の第１係止面に係合した状態（キャップの開封時）を示す図である。
【図７】図７（ａ）は変形例に係るキャップ本体の上面図であり、図７（ｂ）は変形例に係るキャップ本体の正面図である。図７（ｃ）は変形例に係る外装体の断面図であり、図４（ａ）に示すＩＶＢ−ＩＶＢ線断面図に相当する。
【図８】図８（ａ）は変形例に係るキャップ本体の上面図であり、図８（ｂ）は変形例に係るキャップ本体の正面図である。図８（ｃ）は変形例に係る外装体の断面図であり、図４（ａ）に示すＩＶＢ−ＩＶＢ線断面図に相当する。
【図９】図９はキャップの変形例を示す図である。
【図１０】図１０は外装体の変形例を示す図である。
【図１１】図１１（ａ）は変形例に係るキャップ本体の斜視図であり、図１１（ｂ）は変形例に係るキャップ本体の上面図である。
【図１２】図１２（ａ）は変形例に係る外装体の斜視図であり、図１１（ｂ）は変形例に係る外装体の上面図である。
【手続補正６】
【補正対象書類名】明細書
【補正対象項目名】００３１
【補正方法】変更
【補正の内容】
【００３１】
（キャップ本体２０）
キャップ本体２０は、図２（ｂ）、図３、図５（ｄ）及び図５（ｅ）等に示すように、天面板２１と、天面板２１の縁から垂直に下側に延在する筒状の側面板２２と、側面板２２の内周面２２ｂに設けられた雌ネジ部２３と、側面板２２の外周面２２ａに周方向に設けられた窪み部２４と、天面板２１の下側の面から伸びる環状突起２５と、天面板２１の上面２１ａ上に設けられた第２の突起部３０と、を備える。
【手続補正７】
【補正対象書類名】明細書
【補正対象項目名】００４３
【補正方法】変更
【補正の内容】
【００４３】
第１係止面３７は、天面板２１の法線方向に延びるように設けられる。第１係止面３７は、垂直壁部３０Ａではキャップを締める方向（Ｄ２方向）側に配置される。また、第１係止面３７は、第２係止面３９と対向するように配置されており、第１の突起部５２の水平方向の幅だけ第２係止面３９から離間しうる。第１係止面３７は、キャップを緩める方向（Ｄ１方向）に回転させる際、外装体５０の第１の突起部５２が係合する面である。そのため、第１係止面３７は、第１の突起部５２が当接した際、キャップ本体２０と外装体５０とが一緒に回転できるだけの十分な接触が保たれるようにする。
【手続補正８】
【補正対象書類名】明細書
【補正対象項目名】００５１
【補正方法】変更
【補正の内容】
【００５１】
本実施形態では、第１の突起部５２と第２の突起部３０とから構成される第１の係合部Ａによって、誤使用防止機能を発揮させる。具体的には、本実施形態のキャップ１０を容器本体に螺着する際は、まずキャップ１０を容器本体８０の注出口８１上に置く。次に、外装体５０をネジが締まる（螺着する）方向（図２（ａ）等に示すＤ２方向）に回転させる。続いて、外装体５０の第１の突起部５２は、キャップ本体２０の第２の突起部３０の係合空間３０Ｃに収納され、第１の突起部５２の側面が、第２の突起部３０の係合空間３０Ｃの第２係止面３９に接触する。その結果、外装体５０を回転させる力がキャップ本体２０へと伝わり、キャップ本体２０は外装体５０とともに回転し、キャップ１０が容器本体８０に螺着される。
【手続補正９】
【補正対象書類名】明細書
【補正対象項目名】００５８
【補正方法】変更
【補正の内容】
【００５８】
本実施形態は、上述した実施形態に限られず、様々な変形及び応用が可能である。例えば、上述した実施形態では、外装体５０の第３の突起部５３をキャップ本体２０の窪み部２４内に位置させる際、外装体５０を弾性変形させる構成を例に挙げたが、これに限られない。例えば、図７（ａ）〜図７（ｃ）に示すように、キャップ本体２０の側面板２２の外周面２２ａに第３の突起部５３を導入するための導入溝２６を形成し、外装体５０の第３の突起部５３を導入溝２６から導入可能としてもよい。なお、図７（ａ）及び図７（ｂ）はキャップ本体２０の変形例を示し、図７（ｃ）は外装体５０の変形例を示す。また、図７（ｃ）は図４（ａ）に示すＩＶＢ−ＩＶＢ線断面図に相当する。
【手続補正１０】
【補正対象書類名】明細書
【補正対象項目名】００６５
【補正方法】変更
【補正の内容】
【００６５】
上述した実施形態では、係合空間３０Ｃは、第１係止面３７、上壁面３８、第２係止面３９及び内壁面４０によって画定されているが、これに限らず、例えば内壁面４０を省略することも可能である。この場合、係合空間３０Ｃは、外側面３１から内側面３２まで連通する空間となる。
【手続補正１１】
【補正対象書類名】明細書
【補正対象項目名】００６７
【補正方法】変更
【補正の内容】
【００６７】
具体的には、図１１（ａ）及び図１１（ｂ）に示すように、キャップ本体２０が２つの第２の突起部３０を有し、図１２（ａ）及び図１２（ｂ）に示すように、外装体５０が２つの第１の突起部５２を有してもよい。キャップ本体２０では、図１１（ｂ）に示すように、一方の第２の突起部３０に対し、他方の第２の突起部３０は、中心軸（図５（ｅ）に示す軸Ｃに相当）を中心に１８０°回転させた位置に設けられる。同様に外装体５０でも、図１２（ｂ）に示すように、一方の第１の突起部５２に対し、他方の第１の突起部５２は、中心軸（図２（ａ）等に示す軸Ｃに相当）を中心に１８０°回転させた位置に設けられる。
【手続補正１２】
【補正対象書類名】特許請求の範囲
【補正対象項目名】全文
【補正方法】変更
【補正の内容】
【特許請求の範囲】
【請求項１】
容器本体に螺合されるキャップであって、
前記キャップは、キャップ本体と、前記キャップ本体を覆う外装体と、を備え、
前記外装体は、内周面に設けられた第１の突起部を有し、
前記キャップ本体は、天面板上に設けられた第２の突起部を有し、
前記第２の突起部は、
前記キャップ本体の周方向に、前記天面板から前記第２の突起部の天頂部に向かって延びる傾斜面と、
前記第２の突起部の天頂部から前記天面板に向かって延び、前記天面板との間に、前記第１の突起部が前記天面板に対し水平方向に移動可能な移動空間を形成する垂直壁部と、
前記垂直壁部の前記キャップが緩められる側に設けられた第１係止面と、
前記第１係止面に対して前記キャップが締められる側に設けられ、前記第１係止面と対向して配置され、前記第１係止面との間に係合空間を形成する第２係止面と、
を備え、
前記係合空間は前記移動空間と連通しており前記第１の突起部の少なくとも一部を収納可能であるとともに、上下動させることが可能であり、
前記外装体を、キャップを締め込む方向に回転させた場合、前記外装体の前記第１の突起部の一部が、前記第２係止面に当接することで、前記キャップ本体が前記外装体とともに回転し、
前記外装体を、引き上げてキャップを緩める方向に回転させた場合、前記外装体の前記第１の突起部の一部が前記第１係止面に当接することで、前記キャップ本体が前記外装体とともに回転する、
ことを特徴とするキャップ。
【請求項２】
前記外装体の内周面に設けられた第３の突起部と、
前記キャップ本体の外周面に周方向に設けられた窪み部と、更に備え、
前記窪み部は、前記第３の突起部の少なくとも一部を収納可能な大きさに形成されており、
前記第３の突起部と前記窪み部とが係合する、
ことを特徴とする請求項１に記載のキャップ。
【請求項３】
前記窪み部の高さは、前記第２の突起部の高さと、前記第１の突起部の高さとの和より大きく形成される、
ことを特徴とする請求項２に記載のキャップ。
【請求項４】
前記キャップ本体の前記外周面に、前記天面板から前記窪み部に至る導入溝を更に備え、
前記導入溝は、前記第３の突起部を前記天面板から前記窪み部まで移動可能な幅に形成される、
ことを特徴とする請求項２又は３に記載のキャップ。
【請求項５】
前記導入溝の前記窪み部側の端には、一対の弁状突起が設けられており、
前記弁状突起の離間する距離は、前記第３の突起部の幅より狭い、
ことを特徴とする請求項４に記載のキャップ。
【請求項６】
請求項１乃至５のいずれか１項に係るキャップと、
前記キャップが螺合される容器本体と、
を備えることを特徴とする容器。